(57)【要約】【課題】  小型機器の制限された空間に収容することができ、配線の作業性に優れたケーブルアセンブリを提供することを目的とする。【解決手段】  ケーブルアセンブリ１００は、複数のケーブル１から構成されるケーブル束５０と、複数のケーブル１の一端と接続される第１コネクタ４１と、複数のケーブル１の他端と接続される第２コネクタ４２とを備え、ケーブル束５０の長手方向に沿った少なくとも一部が非結束状態とされ、ケーブル束５０における非結束状態の部分において、複数のケーブル１がそれぞれ２本以上のケーブルからなる３つのケーブル集合体１０、２０、３０に分割されて、３つのケーブル集合体１０、２０、３０が三つ編み状に編まれることを特徴とする。【選択図】    図１
2010114003.tif 000002
【特許請求の範囲】
【請求項１】
複数のケーブルから構成されるケーブル束と、
前記複数のケーブルの一端と接続される第１コネクタと、
前記複数のケーブルの他端と接続される第２コネクタと、
を備え、
前記ケーブル束の長手方向に沿った少なくとも一部が非結束状態とされ、前記ケーブル束における非結束状態の部分において、前記複数のケーブルがそれぞれ２本以上のケーブルからなる３つのケーブル集合体に分割されて、前記３つのケーブル集合体が三つ編み状に編まれる
ことを特徴とするケーブルアセンブリ。
【請求項２】
前記ケーブル束は、直径が同じケーブルから構成され、１つの前記ケーブル集合体を構成する前記ケーブルの本数と他の前記ケーブル集合体を構成する前記ケーブルの本数との差が１本以内であることを特徴とする請求項１に記載のケーブルアセンブリ。
【請求項３】
前記ケーブル束は、直径が異なる複数の種類のケーブルから構成され、１つのケーブル集合体を構成する前記ケーブルの直径の合計と、他のケーブル集合体を構成する前記ケーブルの直径の合計との差が、前記ケーブル束における最も直径の小さい前記ケーブルの直径以下であることを特徴とする請求項１に記載のケーブルアセンブリ。
【請求項４】
前記ケーブル集合体が三つ編み状に編まれるピッチが前記ケーブル束を構成する前記ケーブルの直径の合計よりも大きいことを特徴とする請求項１から３のいずれか１項に記載のケーブルアセンブリ。
【請求項５】
前記ピッチが、ケーブル束における各ケーブルの直径の合計の７倍よりも小さいことを特徴とする請求項４に記載のケーブルアセンブリ。
【請求項６】
前記ケーブル束は、前記ケーブル束の長手方向に沿った一部に保護テープが巻かれることで前記一部が結束状態とされ、前記ケーブル束における前記保護テープが巻かれていない部分において、前記複数のケーブルがそれぞれ２本以上のケーブルからなる３つのケーブル集合体に分割されて、前記３つのケーブル集合体が三つ編み状に編まれること特徴とする請求項１から５のいずれか１項に記載のケーブルアセンブリ。
【発明の詳細な説明】
【技術分野】
【０００１】
本発明は、ケーブルアセンブリに関する。
【背景技術】
【０００２】
近年、携帯性に優れた携帯電話や小型パソコンに代表される小型電子機器が普及している。これら小型電子機器においては、ディスプレイ部分が操作部分に対して回動することで折り畳みが可能とされている場合がある。この場合、ディスプレイ部分と操作部分との電気的な接続には、複数の極細の同軸ケーブルを横１列に並べて、各同軸ケーブルの両端部をコネクタ部で一体化しているケーブルアセンブリが用いられている。
【０００３】
このようなケーブルアセンブリとして、各同軸ケーブルが横１列に並べられてコネクタ部と接続され、各同軸ケーブルの中央部同士が多数重なるように円柱状に束ねられて、テープにより結束され、中央部以外のケーブルが円柱状に束ねられ捻じりを施されたケーブルアセンブリが知られている（特許文献１）。
【特許文献１】特開２００７−２２０４９５号公報
【発明の開示】
【発明が解決しようとする課題】
【０００４】
しかし、このようなケーブルアセンブリは、各同軸ケーブルの中央部同士が多数重なるように殆ど隙間なく円柱状に束ねられて、テープにより一体に結束され、中央部以外のケーブルが円柱状に束ねられ捻じりを施されている。このため、テープにより結束されている部分は屈曲性が悪く、円柱状に捻じられている部分についても未だ屈曲性が十分なレベルにあるとはいえない。従って小型機器の制限された空間内に配線するのに作業性が悪い場合がある。さらに、小型機器の制限された空間に収容することができない場合がある。
【０００５】
そこで、本発明は、小型機器の制限された空間に収容することができ、配線の作業性に優れたケーブルアセンブリを提供することを目的とする。
【課題を解決するための手段】
【０００６】
本発明のケーブルアセンブリは、複数のケーブルから構成されるケーブル束と、前記複数のケーブルの一端と接続される第１コネクタと、前記複数のケーブルの他端と接続される第２コネクタと、を備え、前記ケーブル束の長手方向に沿った少なくとも一部が非結束状態とされ、前記ケーブル束における非結束状態の部分において、前記複数のケーブルがそれぞれ２本以上のケーブルからなる３つのケーブル集合体に分割されて、前記３つのケーブル集合体が三つ編み状に編まれることを特徴とするものである。
【０００７】
このようなケーブルアセンブリによれば、両端が第１、第２コネクタに接続された複数のケーブルから構成されるケーブル束において、ケーブル束の長手方向に沿った少なくとも一部が非結束状態とされる。このケーブル束における非結束状態の部分は、複数のケーブルがそれぞれ２本以上のケーブルからなる３つのケーブル集合体に分割されて三つ編み状に編まれる。このため、ケーブル束の非結束状態の部分は、テープ等により束ねられていなくても、ケーブルが纏まった状態を維持できる。また、ケーブル束の非結束状態となっている部分により各ケーブル集合体が構成されるため、ケーブル集合体を構成するケーブル同士が互いに動きやすくなっている。このため、ケーブル束の三つ編み状に編まれている部分は、十分に屈曲性に優れる。従って、ケーブルアセンブリを小型機器の制限された空間内に配線する際の作業性が優れる。また、本発明のケーブルアセンブリは、上記のように各ケーブル同士が互いに動きやすくなっているため、各ケーブル集合体は容易に変形する。従って、ケーブルアセンブリは、小型電子機器の制限された空間にも収容されることができる。
【０００８】
さらに上記ケーブルアセンブリにおいて、前記ケーブル束は、直径が同じケーブルから構成され、１つの前記ケーブル集合体を構成する前記ケーブルの本数と他の前記ケーブル集合体を構成する前記ケーブルの本数との本数の差が１本以内であることが好ましい。このような構成にすることで、各ケーブル集合体の幅の差を小さくすることができる。従って、屈曲時に各ケーブル集合体にかかる力の差を小さくでき、屈曲による負荷が一部のケーブルに集中することが抑制される。よって、ケーブル集合体の屈曲動作が滑らかとなり、ケーブルが有する屈曲性をケーブル束の状態でも維持できる。
【０００９】
あるいは、上記ケーブルアセンブリにおいて、前記ケーブル束は、直径が異なる複数の種類のケーブルから構成され、１つのケーブル集合体を構成する前記ケーブルの直径の合計と、他のケーブル集合体を構成する前記ケーブルの直径の合計との差が、前記ケーブル束において最も直径の小さい前記ケーブルの直径以下であれば、やはり好適である。このように構成することで、ケーブル束が異なる直径のケーブルから成る場合においても、各ケーブル集合体同士の幅の差を小さくすることができる。従って、屈曲時に各ケーブル集合体にかかる力の差を小さくすることができ、屈曲による負荷が一部のケーブルに集中することが抑制される。よって、ケーブル集合体の屈曲動作が滑らかとなり、ケーブルが有する屈曲性をケーブル束の状態でも維持できる。
【００１０】
また、上記ケーブルアセンブリにおいて、前記ケーブル集合体が三つ編み状に編まれるピッチが前記ケーブル束を構成する前記ケーブルの直径の合計よりも大きいことが好適である。
【００１１】
また、上記ケーブルアセンブリにおいて、前記ピッチが、ケーブル束における各ケーブルの直径の合計の７倍よりも小さいことがさらに好適である。
【００１２】
また、上記ケーブルアセンブリにおいて、前記ケーブル束は、前記ケーブル束の長手方向に沿った一部に保護テープが巻かれることで前記一部が結束状態とされ、前記ケーブル束における前記保護テープが巻かれていない部分において、前記複数のケーブルがそれぞれ２本以上のケーブルからなる３つのケーブル集合体に分割されて、前記３つのケーブル集合体が三つ編み状に編まれることとしても良い。このように構成することで、ケーブル束において、さほど屈曲性を必要としない部分は、保護テープにより束ねられ、屈曲性を必要とする部分は、ケーブル集合体により三つ編み状に編まれる。従って、必要な部分のみ十分に屈曲性を与えることができ、配線の作業性に更に優れる。
【００１３】
なお、本明細書において、ピッチとは、ケーブル束の長手方向に沿った所定の位置において、１つのケーブル集合体と他のケーブル集合体とがある一定の位置関係にあり、この所定の位置を起点として、三つ編み状に一編みされ、この１つのケーブル集合体と他のケーブル集合体との位置関係が再び起点と同じ位置関係となる点を終点としたときに、起点から終点までの距離をいう。
【発明の効果】
【００１４】
本発明によれば、小型機器の制限された空間に収容することができ、配線の作業性に優れたケーブルアセンブリが提供される。
【発明を実施するための最良の形態】
【００１５】
以下、本発明に係るケーブルアセンブリの好適な実施形態について図面を参照しながら詳細に説明する。
【００１６】
（第１実施形態）
図１は、本発明の第１実施形態に係るケーブルアセンブリを示す平面図であり、図２は、図１のケーブルアセンブリに用いられるケーブルの断面図であり、図３は、ケーブルアセンブリの断面斜視図である。
【００１７】
図１に示すように、ケーブルアセンブリ１００は、両端部を有する互いに直径が等しい非結束状態のケーブル１が複数集合して成るケーブル束５０と、各ケーブル１の一方の端部が接続される第１コネクタ４１と、各ケーブル１の他方の端部が接続される第２コネクタ４２とを備える。
【００１８】
図２に示すように、ケーブル１は、中心に金属導体の撚り線から成る中心導体２を有し、中心導体２は、絶縁性樹脂からなる絶縁層３で被覆されている。この絶縁層３の外周面上には、複数の金属導体から成る外部導体４が設けられている。さらに、外部導体４は、樹脂から成るシース５で被覆されている。
【００１９】
第１コネクタ４１は、枠体４１ａと、枠体４１ａ内において各ケーブル１の中心導体２が接続され、ケーブルアセンブリ１００の外部と接続される図示しない複数の端子と、各ケーブル１の外部導体４が接続される図示しないグランドバーと、グランドバーと接続されるシェル４１ｂとを有する。
【００２０】
第２コネクタ４２は、枠体４２ａと、枠体４２ａ内において各ケーブル１の中心導体２が接続され、ケーブルアセンブリ１００の外部と接続される図示しない複数の端子と、各ケーブル１の外部導体４が接続される図示しないグランドバーと、グランドバーと接続されるシェル４２ｂとを有する。
【００２１】
ケーブル束５０は、それぞれ２本以上のケーブルからなる３つのケーブル集合体１０、２０、３０に分割され、各ケーブル集合体１０、２０、３０は非結束状態とされる。従って、各ケーブル集合体１０、２０、３０を構成するケーブル１は、互いに動くことができる。そして、ケーブル集合体１０、２０、３０の全体が三つ編み状に編まれて、各ケーブル１が１つに纏められる。
【００２２】
本実施形態のケーブルアセンブリ１００によれば、複数のケーブル１から成る３つのケーブル集合体１０、２０、３０の全体が三つ編み状に編まれてケーブル束５０が構成されている。このため、ケーブル束５０がテープ等により束ねられていなくてもケーブルが纏まった状態が維持できる。また、ケーブル集合体１０、２０、３０は、非結束状態であるため、ケーブル１同士が互いに動きやすくなっている。このため、ケーブル束５０は、十分に屈曲性に優れる。従って、ケーブルアセンブリ１００を小型機器の制限された空間内に配線する際の作業性が優れる。
【００２３】
さらに、ケーブルアセンブリ１００は、上記のようにケーブル集合体１０、２０、３０を構成するケーブル１同士が互いに動きやすくなっているため、ケーブル集合体１０、２０、３０は潰れるように変形することができる。例えば、図３の（Ａ）に示す状態から各ケーブル集合体１０、２０、３０のケーブル１同士が動いて各ケーブル集合体１０、２０、３０が潰れる様に変形し、図３の（Ｂ）に示す状態になることができる。さらに、ケーブル集合体１０、２０，３０同士は、ケーブル束５０の厚み方向において、互いに潰れる様な力を与え合うため、各ケーブル集合体１０、２０、３０は潰れるように変形しケーブル束５０を薄く纏めることができる。従って、ケーブルアセンブリ１００は、小型電子機器の制限された空間にも収容されることができる。
【００２４】
また、本実施形態においては、ケーブル束５０を構成するケーブル１の直径がそれぞれ等しく、さらにケーブル集合体１０、２０、３０を構成するケーブル１の数が等しくなされている。このため、各ケーブル集合体１０、２０、３０の幅が略同じ幅となっている。従って、屈曲時にケーブル集合体１０、２０、３０にかかる力を均一とすることができ、屈曲による負荷が一部のケーブル１に集中することが抑制される。よって、ケーブル集合体１０、２０、３０の屈曲動作が滑らかとなり、ケーブル１が有する屈曲性をケーブル束５０の状態でも維持することができる。
【００２５】
また、三つ編み状に編まれるピッチＰは、ケーブル束５０を構成する各ケーブル１の直径の和よりも大きいことが好ましい。
【００２６】
なお、図１において、ピッチＰは、ケーブル束５０の長手方向に沿った所定の位置において、ケーブル集合体３０とケーブル集合体１０、２０とがある一定の位置関係にあり、この所定の位置を起点Ｐ１として、三つ編み状に一編みされ、ケーブル集合体３０とケーブル集合体１０、２０との位置関係が再び起点Ｐ１と同じ位置関係となる点を終点Ｐ２としたときに、起点Ｐ１から終点Ｐ２までの距離となる。具体的には、例えば、図１において、ケーブル集合体３０が、ケーブル集合体１０、２０と重ならなく、ケーブル集合体１０とケーブル集合体２０とが重なっている所定の位置を起点Ｐ１とする。そして、ケーブル集合体１０、２０、３０が起点Ｐ１から三つ編み状に一編みされ、再び、ケーブル集合体３０が、ケーブル集合体１０、２０と重ならなく、ケーブル集合体１０とケーブル集合体２０とが重なっている位置を終点Ｐ２とする。ピッチＰは、このときの起点Ｐ１と起点Ｐ２の距離となる。
【００２７】
上記の様にピッチＰが、ケーブル束５０を構成する各ケーブル１の直径の和よりも大きい場合、ケーブル集合体１０、２０、３０が最も潰れた状態において、ケーブル束５０の厚さがケーブル１の直径の２倍に抑制されることができる。具体的には、例えば、ケーブル集合体２０とケーブル集合体３０とが重なっている箇所において、図３の（Ａ）に示す状態から、図３の（Ｂ）に示す状態へとケーブル集合体２０とケーブル集合体３０とが潰れる様に変形することができる。そして、ケーブル集合体１０、２０、３０が最も潰れた状態では、ケーブル集合体２０を構成するケーブル１が横並びに並び、さらに、ケーブル集合体３０を構成するケーブルが横並びに並ぶ。こうして、ケーブル束５０の厚さは、ケーブル１の直径の２倍に抑制されることができる。
【００２８】
さらにピッチＰは、各ケーブルの直径の和の７倍より小さいことが、ケーブル集合体１０、２０、３０を構成するケーブル同士が重なる状態になることを防ぐ観点より好ましい。
【００２９】
（第２実施形態）
次に、本発明の第２実施形態について図４を参照して詳細に説明する。なお、第１実施形態と同一又は同等の構成要素については、同一の参照符号を付して重複する説明は省略する。
【００３０】
図４は、本発明の第２実施形態に係るケーブルアセンブリを示す平面図である。
【００３１】
図４に示すように、本実施形態のケーブルアセンブリ１０１において、ケーブル束５１は、複数のケーブル１ａとケーブル１ａの直径よりの大きい直径を有する複数のケーブル１ｂとから構成され、各ケーブル１ａ、１ｂは非結束状態とされている。ケーブル１ａ及びケーブル１ｂは、図２に示したケーブル１と直径は異なるが、ケーブルの構造は、ケーブル１と同じである。
【００３２】
本実施形態においては、ケーブル集合体１１、２１、３１を構成するケーブル１ａの数が等しく、さらに、ケーブル集合体１１、２１、３１を構成するケーブル１ｂの数も等しくされている。
【００３３】
そして、ケーブル束５１は、３つのケーブル集合体１１、２１、３１に分割され、これらケーブル集合体１１、２１、３１が三つ編み状に編まれて、各ケーブル１が１つに纏められる。
【００３４】
また、ピッチＰａは、各ケーブル１ａの直径と和と各ケーブル１ｂの直径の和との和よりも大きくなされている。
【００３５】
本実施形態のケーブルアセンブリによれば、ケーブル束５１が太さの異なる複数のケーブル１ａ、１ｂより構成されている。しかし、各ケーブル集合体１１、２１、３１を構成するケーブル１ａ及びケーブル１ｂが、各ケーブル集合体１１、２１、３１で同じ数となっている。このため、各ケーブル集合体１１、２１、３１の幅を同じ幅とすることができる。従って、屈曲時に各ケーブル集合体１１、２１、３１にかかる力を均一とすることができ、屈曲による負荷が一部のケーブル１ａ、１ｂに集中することが抑制される。よって、ケーブル集合体５１の屈曲動作が滑らかとなり、ケーブル１ａ、１ｂが有する屈曲性をケーブル束５１の状態でも維持とすることができる。
【００３６】
（第３実施形態）
次に本発明の第３実施形態について図５を参照して詳細に説明する。なお、第１実施形態と同一又は同等の構成要素については、同一の参照符号を付して重複する説明は省略する。
【００３７】
図５は、本発明の第３実施形態に係るケーブルアセンブリを示す平面図である。
【００３８】
図５に示すように、本実施形態のケーブルアセンブリ１０２において、ケーブル１が複数集合してなるケーブル束５２の一部が、第２コネクタ４２側において、保護テープ６により束ねられて結束状態とされている。そして、各ケーブル１が保護テープ６で結束状態とされていない部分が、それぞれ２本以上のケーブルからなる３つのケーブル集合体１２、２２、３２に分割され、ケーブル集合体１２、２２、３２が三つ編み状に編まれている。
【００３９】
本実施形態のケーブルアセンブリ１０２によれば、複数のケーブル１により構成されるケーブル束５２の一部分が、さほど屈曲性を必要としない場合、さほど屈曲性を必要としない部分は、保護テープ６により束ねられる。そして、ケーブル束５２が十分に屈曲性を必要とする部分は、ケーブル集合体１２、２２、３２により三つ編み状に編まれる。このため、必要な部分のみ十分に屈曲性を与えることができ、配線の作業性が更に優れる。さらに、ケーブル集合体１２、２２、３２同士は、ケーブル束５２の厚み方向において、互いに潰れる様な力を与え合うため、ケーブル集合体１２、２２、３２は潰れるように変形し、ケーブル束５２において、三つ編み状に編まれている部分は、保護テープ６により束ねられている部分より薄く纏めることができる。
【００４０】
以上、本発明について、第１〜第３実施形態を例に説明したが、本発明はこれらに限定されるものではない。
【００４１】
例えば、ケーブル１、１ａ、１ｂは外部導体４を有した同軸ケーブルとしたが、必ずしも、外部導体４は必要ではない。
【００４２】
さらに、第１実施形態において、各ケーブル集合体１０、２０、３０を構成するケーブルの数は、同じであったが、必ずしも同じである必要はない。ただし、ケーブル束５０を構成する複数のケーブル１がすべて同じ構成である場合、各ケーブル集合体１０、２０、３０を構成するケーブルの数の差は、１本以内であることが好ましい。この場合、各ケーブル集合体の幅の差を小さくすることができる。従って、屈曲時に各ケーブル集合体１０、２０、３０にかかる力の差を小さくでき、屈曲による負荷が一部のケーブル１に集中することが抑制される。よって、ケーブル集合体１０、２０、３０の屈曲動作が滑らかとなり、ケーブル１が有する屈曲性をケーブル束５０の状態でも維持とすることができる。
【００４３】
また、さらに第２実施形態において、各ケーブル集合体１１、２１、３１を構成するケーブル１ａ、１ｂの数は、各ケーブル集合体１１、２１、３１において同じである。しかし、ケーブル束５１を構成するケーブル１ａ、１ｂの数によっては、必ずしも同じにできない場合がある。その場合は、各ケーブル集合体１１、２１、３１において、１つのケーブル集合体を構成するケーブルの直径の和と、他のケーブル集合体を構成するケーブルの直径の和との差が、最も細いケーブルの直径よりも小さいことが好ましい。このように構成することで、各ケーブル集合体の幅の差を小さくすることができる。従って、屈曲時に各ケーブル集合体１１、２１、３１にかかる力の差を小さくでき、屈曲による負荷が一部のケーブル１ａ、１ｂに集中することが抑制される。よって、ケーブル集合体１１、２１、３１の屈曲動作が滑らかとなり、ケーブル１ａ、１ｂが有する屈曲性をケーブル束５１の状態でも維持とすることができる。
【図面の簡単な説明】
【００４４】
【図１】本発明の第１実施形態に係るケーブルアセンブリを示す平面図である。
【図２】図１のケーブルアセンブリに用いられるケーブルの断面図である。
【図３】本発明の第１実施形態に係るケーブルアセンブリの断面斜視図である。
【図４】本発明の第２実施形態に係るケーブルアセンブリを示す平面図である。
【図５】本発明の第３実施形態に係るケーブルアセンブリを示す平面図である。
【符号の説明】
【００４５】
１、１ａ、１ｂ・・・ケーブル
１０、１１、１２、２０、２１、２２、３０、３１、３２・・・ケーブル集合体
４１・・・第１コネクタ
４２・・・第２コネクタ
５０、５１、５２・・・ケーブル束
１００、１０１、１０２・・・ケーブルアセンブリ
【図１】
2010114003.tif 000003
【図２】
2010114003.tif 000004
【図３】
2010114003.tif 000005
【図４】
2010114003.tif 000006
【図５】
2010114003.tif 000007